(57)【要約】ワイヤレス通信の方法は、第１のチャネル上で第１の信号を受信することと、第１の信号に基づいて第２のチャネルを決定することと、第２のチャネル上で第２の信号を受信することと、第２の信号の品質に基づいて、第２のチャネル上でワイヤレスデバイスと通信することとを含む。【選択図】図４
2013529047.tif 000002
【特許請求の範囲】
【請求項１】
ワイヤレス通信の方法において、
第１のチャネル上で第１の信号を受信することと、
前記第１の信号に基づいて第２のチャネルを決定することと、
前記第２のチャネル上で第２の信号を受信することと、
前記第２の信号の品質に基づいて、前記第２のチャネル上でワイヤレスデバイスと通信することとを含む方法。
【請求項２】
前記第２のチャネルは、前記第１のチャネルと異なったものである請求項１記載の方法。
【請求項３】
前記第１の信号は、前記第２のチャネルについての情報を含む請求項１記載の方法。
【請求項４】
前記第１の信号は、前記ワイヤレスデバイスの発見のために、前記第１のチャネル上で前記ワイヤレスデバイスから受信される二次パイロットであり、前記第２の信号は、前記第２のチャネル上で前記ワイヤレスデバイスから受信される一次パイロットであり、前記第２のチャネルは、前記ワイヤレスデバイスとのトラフィック通信のための動作チャネルである請求項１記載の方法。
【請求項５】
前記ワイヤレスデバイスを発見するチャネルのセットを受信することをさらに含み、前記チャネルのセットは、前記第１のチャネルを含む請求項１記載の方法。
【請求項６】
前記ワイヤレスデバイスを発見するために、前記チャネルのセット中の各チャネルをサーチすることをさらに含む請求項５記載の方法。
【請求項７】
前記第１のチャネルは、ホワイトスペースチャネルのセット中に存在しており、前記第２のチャネルは、前記ホワイトスペースチャネルのセット中に存在していない請求項５記載の方法。
【請求項８】
前記第１の信号の品質を決定することと、
前記第１の信号の品質がしきい値よりも上であるときに、前記第２のチャネル上で前記第２の信号をサーチすることとをさらに含む請求項１記載の方法。
【請求項９】
担当セルと通信することと、
前記第２の信号の品質を決定することと、
前記第２の信号の品質がしきい値よりも上であるときに、前記担当セルとの通信から、前記ワイヤレスデバイスとの通信に切り替えることとをさらに含む請求項１記載の方法。
【請求項１０】
ワイヤレス通信の方法において、
第１のチャネルについての情報を取得することと、
前記第１のチャネルとは異なる第２のチャネルについての情報を含む第１の信号を前記第１のチャネル上で送信することと、
前記第２のチャネル上で第２の信号を送信することとを含む方法。
【請求項１１】
前記第１の信号は二次パイロットであり、前記第２のチャネルはトラフィック通信のための動作チャネルであり、前記第２の信号は前記動作チャネル上で送信される一次パイロットである請求項１０記載の方法。
【請求項１２】
前記第１のチャネルについての情報を取得することは、
複数のチャネル上のエネルギーを決定することと、
最低エネルギーチャネルのセットを選択することと、
前記最低エネルギーチャネルのセットから前記第１のチャネルを選択することとを含む請求項１０記載の方法。
【請求項１３】
前記第１のチャネルについての情報を取得することは、
チャネルのセットを受信することと、
前記チャネルのセットから前記第１のチャネルを選択することとを含む請求項１０記載の方法。
【請求項１４】
前記第１のチャネルは、隣接しているワイヤレスデバイスとの協働に基づいて、前記第１の信号を送信するために選択される請求項１３記載の方法。
【請求項１５】
前記協働は、前記隣接しているワイヤレスデバイスのうちの少なくとも１つと同じチャネルである前記第１のチャネルを選択することを含む請求項１４記載の方法。
【請求項１６】
ワイヤレス通信の方法において、
チャネルのセットを第１のワイヤレスデバイスに通信することと、
前記チャネルのセットを第２のワイヤレスデバイスに通信することと、
前記チャネルのセット中のチャネル上で、前記第１のワイヤレスデバイスから送信された二次パイロット信号をサーチするように前記第２のワイヤレスデバイスに要求することとを含み、
前記二次パイロット信号は、一次パイロット信号についての情報を含む方法。
【請求項１７】
前記チャネルのセットはホワイトスペースチャネルを含み、前記第１のワイヤレスデバイスは基地局であり、前記第２のワイヤレスデバイスは移動局である請求項１６記載の方法。
【請求項１８】
複数のチャネル上での干渉を測定するように少なくとも１つのワイヤレスデバイスに要求することと、
前記チャネル上での干渉に関連する干渉情報を、前記少なくとも１つのワイヤレスデバイスから受信することと、
前記干渉情報に基づいて、前記チャネルをランク付けすることと、
前記チャネル間で最低の干渉を有する前記チャネルのセットを選択することをさらに含む請求項１６記載の方法。
【請求項１９】
前記二次パイロット信号を送信するために使用される二次パイロットチャネルを提供するように少なくとも１つのワイヤレスデバイスのそれぞれに要求することと、
前記少なくとも１つのワイヤレスデバイスのそれぞれの前記二次パイロットチャネルを含めるように前記チャネルのセットを選択することとをさらに含む請求項１６記載の方法。
【請求項２０】
前記二次パイロット信号の信号品質を測定するように前記第２のワイヤレスデバイスに要求することをさらに含む請求項１６記載の方法。
【請求項２１】
トラフィック通信のための動作チャネル上で前記第１のワイヤレスデバイスから送信された前記一次パイロット信号の信号品質に関する情報を前記第２のワイヤレスデバイスから受信することと、
前記一次パイロット信号の信号品質に関する前記受信した情報に基づいて、前記第２のワイヤレスデバイスから前記第１のワイヤレスデバイスにハンドオフするか否かを決定することをさらに含む請求項１６記載の方法。
【請求項２２】
前記動作チャネルは、前記チャネルのセット中に存在していない請求項２１記載の方法。
【請求項２３】
ワイヤレス通信の装置において、
第１のチャネル上で第１の信号を受信する手段と、
前記第１の信号に基づいて第２のチャネルを決定する手段と、
前記第２のチャネル上で第２の信号を受信する手段と、
前記第２の信号の品質に基づいて、前記第２のチャネル上でワイヤレスデバイスと通信する手段とを具備する装置。
【請求項２４】
前記第２のチャネルは、前記第１のチャネルと異なったものである請求項２３記載の装置。
【請求項２５】
前記第１の信号は、前記第２のチャネルについての情報を含む請求項２３記載の装置。
【請求項２６】
前記第１の信号は、前記ワイヤレスデバイスの発見のために、前記第１のチャネル上で前記ワイヤレスデバイスから受信される二次パイロットであり、前記第２の信号は、前記第２のチャネル上で前記ワイヤレスデバイスから受信される一次パイロットであり、前記第２のチャネルは、前記ワイヤレスデバイスとのトラフィック通信のための動作チャネルである請求項２３記載の装置。
【請求項２７】
前記ワイヤレスデバイスを発見するチャネルのセットを受信する手段をさらに具備し、前記チャネルのセットは、前記第１のチャネルを含む請求項２３記載の装置。
【請求項２８】
前記ワイヤレスデバイスを発見するために、前記チャネルのセット中の各チャネルをサーチする手段をさらに具備する請求項２７記載の装置。
【請求項２９】
前記第１のチャネルは、ホワイトスペースチャネルのセット中に存在しており、前記第２のチャネルは、前記ホワイトスペースチャネルのセット中に存在していない請求項２７記載の装置。
【請求項３０】
前記第１の信号の品質を決定する手段と、
前記第１の信号の品質がしきい値よりも上であるときに、前記第２のチャネル上で前記第２の信号をサーチする手段とをさらに具備する請求項２３記載の装置。
【請求項３１】
担当セルと通信する手段と、
前記第２の信号の品質を決定する手段と、
前記第２の信号の品質がしきい値よりも上であるときに、前記担当セルとの通信から、前記ワイヤレスデバイスとの通信に切り替える手段とをさらに具備する請求項２３記載の装置。
【請求項３２】
ワイヤレス通信の装置において、
第１のチャネルについての情報を取得する手段と、
前記第１のチャネルとは異なる第２のチャネルについての情報を含む第１の信号を前記第１のチャネル上で送信する手段と、
前記第２のチャネル上で第２の信号を送信する手段とを具備する装置。
【請求項３３】
前記第１の信号は二次パイロットであり、前記第２のチャネルはトラフィック通信のための動作チャネルであり、前記第２の信号は前記動作チャネル上で送信される一次パイロットである請求項３２記載の装置。
【請求項３４】
前記第１のチャネルについての情報を取得する手段は、
複数のチャネル上のエネルギーを決定する手段と、
最低のエネルギーチャネルのセットを選択する手段と、
前記最低のエネルギーチャネルのセットから前記第１のチャネルを選択する手段とを備える請求項３２記載の装置。
【請求項３５】
前記第１のチャネルについての情報を取得する手段は、
チャネルのセットを受信する手段と、
前記チャネルのセットから前記第１のチャネルを選択する手段とを備える請求項３２記載の装置。
【請求項３６】
前記第１のチャネルは、隣接しているワイヤレスデバイスとの協働に基づいて、前記第１の信号を送信するために選択される請求項３２記載の装置。
【請求項３７】
前記協働は、前記隣接しているワイヤレスデバイスのうちの少なくとも１つと同じチャネルである前記第１のチャネルを選択することを含む請求項３６記載の装置。
【請求項３８】
ワイヤレス通信の装置において、
チャネルのセットを第１のワイヤレスデバイスに通信する手段と、
前記チャネルのセットを第２のワイヤレスデバイスに通信する手段と、
前記チャネルのセット中のチャネル上で、前記第１のワイヤレスデバイスから送信された二次パイロット信号をサーチするように前記第２のワイヤレスデバイスに要求する手段とを具備し、
前記二次パイロット信号は、一次パイロット信号についての情報を含む装置。
【請求項３９】
前記チャネルのセットはホワイトスペースチャネルを含み、前記第１のワイヤレスデバイスは基地局であり、前記第２のワイヤレスデバイスは移動局である請求項３８記載の装置。
【請求項４０】
複数のチャネル上での干渉を測定するように少なくとも１つのワイヤレスデバイスに要求する手段と、
前記チャネル上での干渉に関連する干渉情報を、前記少なくとも１つのワイヤレスデバイスから受信する手段と、
前記干渉情報に基づいて、前記チャネルをランク付けする手段と、
前記チャネル間で最低の干渉を有する前記チャネルのセットを選択する手段とをさらに具備する請求項３８記載の装置。
【請求項４１】
前記二次パイロット信号を送信するために使用される二次パイロットチャネルを提供するように少なくとも１つのワイヤレスデバイスのそれぞれに要求する手段と、
前記少なくとも１つのワイヤレスデバイスのそれぞれの前記二次パイロットチャネルを含めるように前記チャネルのセットを選択する手段とをさらに具備する請求項３８記載の装置。
【請求項４２】
前記二次パイロット信号の信号品質を測定するように前記第２のワイヤレスデバイスに要求する手段をさらに具備する請求項３８記載の装置。
【請求項４３】
トラフィック通信のための動作チャネル上で前記第１のワイヤレスデバイスから送信された前記一次パイロット信号の信号品質に関する情報を前記第２のワイヤレスデバイスから受信する手段と、
前記一次パイロット信号の信号品質に関する前記受信した情報に基づいて、前記第２のワイヤレスデバイスから前記第１のワイヤレスデバイスにハンドオフするか否かを決定する手段とをさらに具備する請求項３８記載の装置。
【請求項４４】
前記動作チャネルは、前記チャネルのセット中に存在していない請求項４３記載の装置。
【請求項４５】
コンピュータプログラムプロダクトにおいて、
第１のチャネル上で第１の信号を受信し、
前記第１の信号に基づいて第２のチャネルを決定し、
前記第２のチャネル上で第２の信号を受信し、
前記第２の信号の品質に基づいて、前記第２のチャネル上でワイヤレスデバイスと通信するためのコードを含むコンピュータ読み取り可能媒体を具備するコンピュータプログラムプロダクト。
【請求項４６】
コンピュータプログラムプロダクトにおいて、
第１のチャネルについての情報を取得し、
前記第１のチャネルとは異なる第２のチャネルについての情報を含む第１の信号を前記第１のチャネル上で送信し、
前記第２のチャネル上で第２の信号を送信するためのコードを含むコンピュータ読み取り可能媒体を具備するコンピュータプログラムプロダクト。
【請求項４７】
コンピュータプログラムプロダクトにおいて、
チャネルのセットを第１のワイヤレスデバイスに通信し、
前記チャネルのセットを第２のワイヤレスデバイスに通信し、
前記チャネルのセット中のチャネル上で前記第１のワイヤレスデバイスから送信された二次パイロット信号をサーチするように前記第２のワイヤレスデバイスに要求するためのコードを含むコンピュータ読み取り可能媒体を具備し、
前記二次パイロット信号は、一次パイロット信号についての情報を含むコンピュータプログラムプロダクト。
【請求項４８】
ワイヤレス通信のための装置において、
第１のチャネル上で第１の信号を受信し、
前記第１の信号に基づいて第２のチャネルを決定し、
前記第２のチャネル上で第２の信号を受信し、
前記第２の信号の品質に基づいて、前記第２のチャネル上でワイヤレスデバイスと通信するように構成されている処理システムを具備する装置。
【請求項４９】
ワイヤレス通信のための装置において、
第１のチャネルについての情報を取得し、
前記第１のチャネルとは異なる第２のチャネルについての情報を含む第１の信号を前記第１のチャネル上で送信し、
前記第２のチャネル上で第２の信号を送信するように構成されている処理システムを具備する装置。
【請求項５０】
ワイヤレス通信のための装置において、
チャネルのセットを第１のワイヤレスデバイスに通信し、
前記チャネルのセットを第２のワイヤレスデバイスに通信し、
前記チャネルのセット中のチャネル上で前記第１のワイヤレスデバイスから送信された二次パイロット信号をサーチするように前記第２のワイヤレスデバイスに要求するように構成されている処理システムを具備し、
前記二次パイロット信号は、一次パイロット信号についての情報を含む装置。
【発明の詳細な説明】
【背景】
【０００１】
分野
以下の記述は、一般的に、ワイヤレス通信に関連し、さらに詳細に述べると、ホワイトスペース周波数上でのデバイス発見に関連する。
【０００２】
背景
ホワイトスペースは、多くの地理的位置における、何らかのライセンスされている技術／一次ユーザによって使用されていない、周波数スペクトルのことを意味する。一次ユーザがいない場合には、この周波数スペクトルは、何らかの技術を使用している他の何らかのユーザ（すなわち、二次ユーザ）によって使用可能である。同じ周波数（またはチャネル）は、（ＴＶ信号またはワイヤレスマイクロフォンのような）一次ユーザの存在のせいで、すべての位置において利用可能でないことがあり、そして、空間的および一時的に変わる干渉パターンを生成させる異なる技術を使用しているさまざまなデバイスによって同じチャネルが共有されているので、ホワイトスペース周波数（またはコグニティブ周波数）を通しての通信ネットワークは、より従来的な配備と根本的に異なっている。
【０００３】
同じホワイトスペース周波数および干渉パターンの変化の非有用性は、ネットワークノードとも呼ばれる、ワイヤレス通信ネットワーク中のデバイスに、局所的に利用可能な周波数を選択することを余儀なくさせ、他のデバイスからの低い干渉を観測する。マルチポイントネットワークでは、複数の受信ノードが、同じワイヤレスリンクを通して互いに通信することを望む一方で、ポイントツーポイントネットワークでは、送信ノードが、ワイヤレスリンクを通して特定の受信ノードと通信することを望む。ネットワークノードは、通信の周波数を選択するために、あるネゴシエーションプロトコルを使用してもよい。例えば、ポイントツーポイントシナリオでは、受信ノードが、選択した周波数上で署名をブロードキャストしてもよい。署名を検出した後、送信ノードが、受信ノードによって選択された周波数上で、受信ノードとの通信を開始、または、他の何らかの周波数で会話に加わるように受信ノードに要請することがある。マルチポイントネットワークでは、マルチポイントネットワーク中のすべてのノードに適した周波数で会話に加わるように、グループリーダーとして機能しているノードが他のノードに要請することがある。
【０００４】
このようなネゴシエーションプロトコルは、初期化および電源投入の間には適してはいる一方で、モビリティ、サービス変更、またはその他のものによりネットワークノードがネットワーク内の通信グループを頻繁に変えるシナリオでは、時間がかかることが、このようなネゴシエーションプロトコルに関する問題である。各ノードは、すべての利用可能なホワイトスペース周波数を通して走査し、当該ノードが新しいグループのノードのうちの１つのノードと通信できる周波数を検出しなければならない。利用可能なホワイトスペース周波数を通して走査することは、非実用的または非効率的である。したがって、ホワイトスペース周波数上でのデバイス発見の効率的な方法が技術的に必要である。
【概要】
【０００５】
本開示の態様では、ワイヤレス通信の方法は、第１のチャネル上で第１の信号を受信することと、第１の信号に基づいて第２のチャネルを決定することと、第２のチャネル上で第２の信号を受信することと、第２の信号の品質に基づいて、第２のチャネル上でワイヤレスデバイスと通信することとを含む。
【０００６】
本開示の態様では、ワイヤレス通信の方法は、第１のチャネルについての情報を取得することと、第１のチャネルとは異なる第２のチャネルについての情報を含む第１の信号を第１のチャネル上で送信することと、第２のチャネル上で第２の信号を送信することとを含む。
【０００７】
本開示の態様では、ワイヤレス通信の方法は、チャネルのセットを第１のワイヤレスデバイスに通信することと、チャネルのセットを第２のワイヤレスデバイスに通信することと、チャネルのセット中のチャネル上で第１のワイヤレスデバイスから送信された二次パイロット信号をサーチするように第２のワイヤレスデバイスに要求することとを含み、二次パイロット信号は、一次パイロット信号についての情報を含む。
【図面の簡単な説明】
【０００８】
【図１】図１は、例示的な装置のためのハードウェア構成を図示しているブロック図である。
【図２】図２は、ホワイトスペースを通してのワイヤレス通信ネットワークの例を図示している図である。
【図３Ａ】図３Ａは、第１の配備シナリオを図示している図である。
【図３Ｂ】図３Ｂは、第２の配備シナリオを図示している図である。
【図４】図４は、アンカー基地局のカバレッジエリア内の複数のコグニティブ基地局を図示している図である。
【図５Ａ】図５Ａは、第１の配備シナリオでピアツーピア通信している移動局を図示している図である。
【図５Ｂ】図５Ｂは、第２の配備シナリオでピアツーピア通信している移動局を図示している図である。
【図６】図６は、コグニティブ基地局の存在を決定するための、３ステップのプロトコルを図示しているフローチャートである。
【図７】図７は、例示的な方法のフローチャートである。
【図８】図８は、別の例示的な方法のフローチャートである。
【図９】図９は、さらなる別の例示的な方法のフローチャートである。
【図１０】図１０は、例示的な装置のモジュールの図である。
【図１１】図１１は、別の例示的な装置のモジュールの図である。
【図１２】図１２は、さらなる別の例示的な装置のモジュールの図である。
【詳細な説明】
【０００９】
以下で、添付図面を参照して、新規なシステム、装置、および方法のさまざまな態様をより完全に記述する。しかしながら、教示している開示は、多くの異なる形態で具現化してもよく、本開示全体を通して提示した任意の特定の構成または機能に限定されるものとして解釈すべきではない。むしろ、本開示が十分で完全となり、開示の範囲を当業者に完全に伝えるように、これらの態様を提供している。発明の他の何らかの態様とは無関係に実現しようとなかろうと、または、発明の他の何らかの態様と組み合わせて実現しようとしなかろうと、開示の範囲が、ここで開示した、新規なシステム、装置、および方法の任意の態様をカバーすることを意図していることを、ここでの教示に基づいて当業者は正しく認識すべきである。例えば、ここで述べた任意の数の態様を使用して、装置を実現してもよく、または、方法を実施してもよい。加えて、ここで述べた発明のさまざまな態様に加えた、または、ここで述べた発明のさまざまな態様以外の、他の構成、機能性、または、構成および機能性を使用して実施するこのような装置または方法をカバーすることを、発明の範囲は意図している。ここで開示した任意の態様は、請求項の１つ以上の要素によって具現化してもよいことを理解すべきである。
【００１０】
本発明のさまざまな態様を組み込むのに適した装置の例は、ワイヤレスネットワーク中動作できる移動局を含むが、これに限定されない。移動局は、ユーザ機器、移動体電話機、ユーザ端末、ワイヤレス端末、移動体デバイス、加入者局、ワイヤレスデバイス、ワイヤレスノード、端末、アクセス端末、ノード、ハンドヘルドデバイスと呼ぶことがあり、または他の何らかの適した専門用語で呼ぶことがある。本開示全体を通して記述したさまざまな概念は、これらの特定の術語にもかかわらず、すべての適した装置に適用することを意図している。同様に、基地局は、アクセスポイント、ポイント調整エンティティ、または、ワイヤレスネットワーク内での制御管理に関与する何らかの装置と呼ぶことがある。
【００１１】
これから、図１を参照して、装置のさまざまな態様を提示する。図１は、装置１００のためのハードウェア構成を図示している概念ブロック図である。装置１００は、基地局、移動局、またはそうでなければ別のワイヤレスデバイスであってもよい。装置１００は、プロセッサ１０４と、プロセッサ１０４に結合されている機械読み取り可能媒体（メモリ）１０８と、プロセッサ１０４に結合されているトランシーバ１０６とを備えている。プロセッサ１０４および機械読み取り可能媒体１０８は、一緒に、処理システム１１０と呼ばれることがある。しかしながら、処理システム１１０は、あるプロセッサ１０４の構成では、機械読み取り可能媒体１０８がないプロセッサ１０４を備えていてもよい。
【００１２】
処理システム１１０は、１つ以上のプロセッサを備えていてもよい。１つ以上のプロセッサは、汎用マイクロプロセッサ、マイクロ制御装置、デジタルシグナルプロセッサ（ＤＳＰ）、フィールドプログラマブルゲートアレイ（ＦＰＧＡ）、プログラマブルロジックデバイス（ＰＬＤ）、制御装置、状態機械、ゲート論理、ディスクリートハードウェアコンポーネント、あるいは、情報の計算または情報の他の操作を実行できる他の何らかの適したエンティティのうちの任意のものを組み合わせたもので実現してもよい。
【００１３】
処理システム１１０はまた、ソフトウェアを記憶するための機械読み取り可能媒体１０８を含んでいてもよい。ソフトウェア、ファームウェア、ミドルウェア、マイクロコード、ハードウェア記述言語と呼ばれようと呼ばれなかろうと、またはその他のもので呼ばれようと呼ばれなかろうと、ソフトウェアは、任意のタイプの命令を意味すると広く解釈すべきである。命令は、（例えば、ソースコードフォーマット、バイナリコードフォーマット、実行可能なコードフォーマット、または他の何らかの適したコードフォーマットの）コードを含んでいてもよい。命令は、１つ以上のプロセッサによって実行されるときに、以下で記述したさまざまな機能とともに、他のプロトコル処理機能を処理システム１１０に実行させる。
【００１４】
機械読み取り可能媒体１０８は、プロセッサのうちの１つ以上のものの中に組み込まれている記憶装置を備えてもよい。機械読み取り可能媒体１０８はまた、ランダムアクセスメモリ（ＲＡＭ）、フラッシュメモリ、リードオンリーメモリ（ＲＯＭ）、プログラマブルリードオンリーメモリ（ＰＲＯＭ）、消去可能なＰＲＯＭ（ＥＰＲＯＭ）、レジスタ、ハードディスク、リムーバルディスク、ＣＤ−ＲＯＭ、ＤＶＤ、または他の何らかの適した記憶デバイスのような、１つ以上のプロセッサの外部の記憶装置を含んでいてもよい。加えて、機械読み取り可能媒体１０８は、伝送回線、または、データ信号をエンコードする搬送波を含んでいてもよい。処理システムの記述した機能性をどのように実現するのが最良であるかを、当業者は認識するだろう。
【００１５】
図２は、ホワイトスペースを通してのワイヤレス通信ネットワークの例を図示している図２００である。図２は、ワイヤレスローカルエリアネットワーク（ＷＬＡＮ）およびピアツーピア（Ｐ２Ｐ）ネットワークを図示している。代替的に、ワイヤレスエリアネットワーク（ＷＡＮ）は、ワイヤレスパーソナルエリアネットワーク（ＷＰＡＮ）、ワイヤレスキャンパスエリアネットワーク（ＷＣＡＮ）、またはワイヤレスメトロポリタンエリアネットワーク（ＷＭＡＮ）であってもよい。ＷＬＡＮでは、ＭＳ２０８は、フェムト基地局（ＢＳ）２０２によって担当されている。ＢＳ２０２は、代替的に、ミクロＢＳ、ピコＢＳ、またはそうでなければ低い電力クラスのＢＳであってもよい。ＷＬＡＮカバレッジエリアは、ホワイトスペース帯域の高い周波数の性質または送信電力の制限が原因で比較的狭い。ノード２０８、２０２間の送信範囲が比較的狭いので、ＷＬＡＮは、共通の周波数で通信している他のアクセスポイントと大幅に干渉させずに通信するために、そのカバレッジエリア中でその共通の周波数を選択してもよい。ＢＳ２０２は、他のＢＳと相互接続されていてもよい。Ｐ２Ｐネットワークでは、ＭＳ２０４とＭＳ２０６とが、ホワイトスペース周波数を使用して通信している。ＭＳ２０４、２０６は、ＢＳ２０２のカバレッジエリア内に存在していることもあれば、または、存在していないこともある。上述した通信ネットワークでは、図３Ａおよび図３Ｂに関して記述するような、２つの広範な配備シナリオがある。
【００１６】
図３Ａは、第１の配備シナリオを図示している図３００である。第１の配備シナリオは、“グリーンフィールドオペレーション（greenfield operation）”と呼ばれることがあり、他のＷＬＡＮ局３０２、３０４の中でＷＬＡＮ３０６が、ホワイトスペース周波数（例えば、ＴＶのＵＨＦ帯域）上で配備されるものである。ホワイトスペース周波数は、ライセンスされていない、周波数の帯域である。ＭＳ３０８は、配備領域中で、ライセンスされているスペクトルを所有していないサービスプロバイダを通してＷＬＡＮ３０６と通信している（すなわち、ライセンスされている帯域上で送受信し、サービスプロバイダによって所有されているマクロ基地局（すなわち、高電力クラスのＢＳ）は、配備領域中に存在していない）。
【００１７】
図３Ｂは、第２の配備シナリオを図示している図３５０である。第２の配備シナリオは、“容量オフロードおよびフェムト配備（capacity offload and femto deployment）”と呼ばれることがあり、ライセンスされている周波数上でのワイヤレス配備の存在に特徴がある。第２の配備シナリオでは、ホワイトスペース上でＭＳ３０８と送受信しているフェムトＢＳ３０６が、マクロＢＳ３１２、３１４の間で配備されている。これらのマクロＢＳ３１２、３１４は、ライセンスされている帯域上で送受信し、フェムトＢＳ３０６のサービスプロバイダによって所有（したがって制御）されている。オーバーレイの目的は、容量を増加させること、高スループットカバレッジを提供すること、または、セルラネットワークによって従来的に提供されていない、Ｐ２Ｐのような、いくつかの付加的サービスを提供することであってもよい。ライセンスされている帯域上の周波数を、アンカー周波数と呼ぶことがあり、物理的なマクロＢＳエンティティ３１２、３１４のそれぞれを、アンカーＢＳと呼ぶことがある。ホワイトスペース上で送受信しているＢＳ３０６を、コグニティブＢＳと呼ぶことがあり、選択された周波数を、コグニティブ周波数または動作周波数／チャネルと呼ぶことがある。
【００１８】
コグニティブＢＳは、アンカーＢＳと同じ位置に配置されていてもよいし、または、配置されていなくてもよい。コグニティブＢＳ３０６が、アンカーＢＳ ３１２、３１４によって提供される付加的な情報へのアクセスを持つことになるとき、第１の配備シナリオ（図３Ａ）に適用可能なあらゆるソリューションは、第２の配備シナリオ（図３Ｂ）にも適用可能である。したがって、アンカーＢＳの利用可能性が、より単純で信頼性が高い代替実施形態を提供する。
【００１９】
図４、図５Ａ、および図５Ｂは、例示的な方法を図示している図である。図４は、アンカーＢＳ４０２のカバレッジエリア内の複数のコグニティブＢＳ４０４、４０６を図示している図４００である。図５Ａは、第１の配備シナリオ（図３Ａ参照）でＰ２Ｐ通信しているＭＳを図示している図５００である。図５Ｂは、第２の配備シナリオ（図３Ｂ参照）でＰ２Ｐ通信しているＭＳを図示している図５００である。図４では、ＭＳ４０８は、ライセンスされている周波数上で、アンカーＢＳ４０２に接続されている。しかしながら、ネットワークおよび／またはユーザの性能のためには、ネットワークは、ＭＳ４０８がコグニティブＢＳ４０６に接続されていることが好ましい。図５Ａでは、ＭＳ５０４は、ＭＳ５０６とＰ２Ｐ通信しているが、代わりにＭＳ５０８とＰ２Ｐ通信することを望む。図５Ｂでは、ライセンスされている周波数上で、ＭＳ５５６と通信している、または、アンカーＢＳ５５２と通信しているＭＳ５５４は、ＭＳ５５８とのダイレクトＰ２Ｐ通信の方が好ましいだろう。以下で説明するように、デバイスが通信しているホワイトスペース周波数とは関係なく、ＭＳが、新しいコグニティブＢＳまたは新しいＰ２Ｐデバイスを検出できる方法を提供する。
【００２０】
図４を参照すると、コグニティブＢＳ４０４、４０６およびアンカーＢＳ４０２は、ワイヤレスに、バックホール接続を通して直接的に、または、バックホールサーバを通して間接的に通信していると仮定している。バックホールサーバは、ＢＳ（例えば、アンカーＢＳ４０２）であってもよく、または、インターネットを通してのサーバであってもよい。コグニティブＢＳが、アンカーＢＳから、良好な強度を持つ信号を受信した場合には、コグニティブＢＳは、アンカーＢＳのカバレッジエリア中に存在している。各アンカーＢＳのために、サーバが、アンカーＢＳのカバレッジエリア中のコグニティブＢＳに関する情報を保持してもよい。加えて、各コグニティブＢＳのために、サーバは、関係するアンカーＢＳと、コグニティブＢＳによって使用されている、ホワイトスペースの動作周波数とについての情報を保持してもよい。
【００２１】
例示的な方法にしたがって、コグニティブＢＳ４０６が、その動作周波数で一次パイロットを、第２の周波数で二次パイロットを送信する。コグニティブＢＳ４０６は、ライセンスされている周波数上で動作しているアンカーＢＳ４０２のカバレッジエリア中に存在している。アンカーＢＳ４０２が、周波数のセット上で測定するようにＭＳ４０８に要請する。周波数のセットは、第２の周波数を含む。ＭＳ４０８が、第２の周波数に同調させ、二次パイロットを受信する。二次パイロットは、コグニティブＢＳ４０６から一次パイロットを受信するための、動作周波数についての情報を含む。二次パイロットが十分な信号品質（例えば、強度）で受信された場合、アンカーＢＳ４０２は、一次パイロットを受信するための動作周波数に同調するようにＭＳ４０８に要請してもよい。一次パイロットを十分な信号品質で受信した場合には、ＭＳ４０８は、アンカーＢＳ４０２からコグニティブＢＳ４０６にハンドオフしてもよい。
【００２２】
第２の周波数は、さまざまな方法で選択されてもよい。１つの構成では、二次周波数は、アンカーＢＳ４０２の動作周波数である。別の構成では、二次周波数は、ホワイトスペース周波数である。このような構成では、アンカーＢＳ４０２は、ホワイトスペース周波数のそれぞれ上での干渉（すなわち、エネルギー）を測定するように、そのカバレッジエリア中のコグニティブＢＳ４０４、４０６に要請する。代替的に、アンカーＢＳ４０２は、ホワイトスペース周波数のそれぞれ上での干渉を測定するように、アンカーＢＳが担当しているＭＳのような他のワイヤレスデバイスに要請してもよい。アンカーＢＳ４０２は、ホワイトスペース周波数のそれぞれ上の干渉についての情報を受信する。アンカーＢＳ４０２が、干渉の順序で、ホワイトスペース周波数を順序付け／ランク付けし、最小干渉（すなわち、最も少なく使用される／最低エネルギー）を持つホワイトスペース周波数のセットを選択する。ホワイトスペース周波数のセット中にコグニティブＢＳ４０４、４０６の動作周波数が存在しないように、アンカーＢＳ４０２は、ホワイトスペース周波数のセットを選択してもよい。アンカーＢＳ４０２は、ホワイトスペース周波数のセットをコグニティブＢＳ４０４、４０６に報知する。コグニティブＢＳ４０６が、その二次周波数のための、ホワイトスペース周波数のセット中の１つのホワイトスペース周波数を選択する。アンカーＢＳ４０２は、ホワイトスペース周波数のセット中のホワイトスペース周波数上で送信されるパイロットの信号品質を測定することをＭＳ４０８に報知し、それらのいずれかが、しきい値よりも上である信号品質を有している場合には、ＭＳ４０８は、その動作周波数で一次パイロットの信号品質を測定し、アンカーＢＳ４０２に戻すように信号品質情報を報告する。アンカーＢＳ４０２は、一次パイロットの信号品質情報を使用して、ＭＳ４０８から、測定された一次パイロットに関係付けられているコグニティブＢＳ４０６にハンドオフするか否かを決定する。
【００２３】
上記で説明したように、第２の選択された周波数は、アンカーＢＳ４０２によって使用されるライセンスされている周波数であってもよく、このアンカーＢＳ４０２のカバレッジエリア中には、コグニティブＢＳ４０６が存在している。このような構成では、第２の周波数に対する選択プロセスは単純であり、測定は、異なる周波数に同調するようにＭＳに要求しないだろう。それにより、コグニティブＢＳデバイスの発見を早くすることが可能になる。しかしながら、アンカーＢＳ４０２のカバレッジエリア中に非常に多くのコグニティブＢＳが存在している場合には、ライセンスされている周波数上ではビーコンまたはパイロットによって生成される干渉が大きくなることがあり、それにより、アンカーＢＳ４０２の容量に影響を及ぼすことがある。
【００２４】
上記で説明したように、二次周波数は、ホワイトスペース周波数であってもよい。（アンカーＢＳ４０２であってもよい）相互接続されているサーバが、二次周波数を選択するのを助けることができる。このような構成では、コグニティブＢＳ４０６が、利用可能なホワイトスペース周波数のリストをサーバに報告する。リストは、その周波数で観測された干渉の、減少する順序で順序付けできる。ホワイトスペース周波数は、コグニティブＢＳ４０６と、コグニティブＢＳ（例えば、ＭＳ４１０）に既に接続されているＭＳのうちのいずれかとが、（テレビジョンまたはワイヤレスマイクロフォンのような）一次ユーザの存在を検出しないときに利用可能であることが考慮される。各アンカーＢＳに対して、サーバが、Ｍ個の周波数を選択し、この周波数上で、そのカバレッジエリア中のコグニティブＢＳ４０６によってビーコンまたは二次署名を送ることができる。アンカーＢＳの周波数間リストを減少させるために、Ｍ個のホワイトスペース周波数のセットは、可能な限り小さく保たれる。Ｍ個の周波数のうちの少なくとも１つが、アンカーＢＳ４０２のカバレッジエリア中のコグニティブＢＳごとに小さい干渉で利用可能であることが重要であるので、Ｍ＝１の値が好ましいかもしれないが、Ｍは、１よりも大きくなるように選択されてもよい。サーバは、（サーバがアンカーＢＳ４０２でない場合には）アンカーＢＳ４０２に、そしてコグニティブＢＳ４０６に、Ｍ個のホワイトスペース周波数のセットを報告する。コグニティブＢＳ４０６は、一次パイロット信号を送信しているその動作周波数についての情報を含む二次パイロット信号を送信するために、Ｍ個のホワイトスペース周波数のセットから１つのホワイトスペース周波数を選択する。
【００２５】
図６は、コグニティブ４０６の存在を決定するための、３ステップのプロトコルを図示しているフローチャート６００である。アンカーＢＳが、Ｍ個のホワイトスペース周波数のセットをコグニティブＢＳに通信する（６０２）。コグニティブＢＳが、動作周波数上で一次パイロット／ビーコンを、Ｍ個のホワイトスペース周波数のセットから選択した二次ホワイトスペース周波数上で二次パイロット／ビーコンを送信する（６０２）。二次パイロットは、一次パイロットを送信する動作周波数についての情報を含む（６０２）。すなわち、コグニティブＢＳは、ホワイトスペース周波数上で、大変小さいレートで二次パイロットを送信し、二次パイロットは、一次パイロットを送信する動作周波数についての情報を含んでいる。もし高い処理利得であるならば、一般的に、二次パイロットは、低信号対ノイズ比（ＳＮＲ）領域中でさえもデコードできる。したがって、より低いＳＮＲであっても二次パイロットを送信するために、コグニティブＢＳは、ホワイトスペース周波数を選択してもよい。二次パイロットの送信電力は、その検出範囲が、そのカバレッジエリアをカバーするが、付加的な干渉を生成させないことを確実にするように、コグニティブＢＳによって電力制御され得る。
【００２６】
アンカーＢＳが、Ｍ個のホワイトスペース周波数のセットの、すべて、または、数個上で測定するように、アンカーＢＳに接続されているＭＳに要求する（６０４）。ＭＳによって送られた測定報告に基づいて、アンカーＢＳは、ＭＳによって検出された最良の信号品質（例えば、最大の信号強度）を持つコグニティブＢＳを、または、しきい値よりも上である信号品質を持つコグニティブＢＳのセットを決定できる。
【００２７】
コグニティブＢＳからの二次パイロットのパイロット品質が、あるしきい値よりも大きい場合に、アンカーＢＳは、ＭＳがコグニティブＢＳに接続することを許可された場合、その動作周波数上でコグニティブＢＳの一次署名を測定するようにＭＳに要請できる（６０６）。コグニティブＢＳからの一次署名が、あるしきい値よりも大きいＳＮＲで検出された場合、コグニティブＢＳの発見が完了し、ＭＳを、コグニティブＢＳとの通信に移行させるためにハンドオフ手順が開始されてもよい。一次署名の強度が、しきい値よりも低い場合、しきい値よりも上である信号品質を持つ二次パイロットが受信されている間、アンカーＢＳは、パイロット電力を電力制御するようにコグニティブＢＳに要求でき、それにより、誤ったアラームを減少させることができる。
【００２８】
第１の“グリーンフィールド”配備シナリオに対して、および、コグニティブＢＳから、別の隣接しているコグニティブＢＳへのハンドオフが好ましいケースにおいて、先のプロトコルのわずかな変更を使用できる。このようなシナリオでは、コグニティブＢＳが、その近隣の他のコグニティブＢＳについてサーバに報告してもよい。このリストは、測定を通して、継時的に更新することもあり得る。サーバは、その後、隣接しているコグニティブＢＳのクラスタに対して、共通のビーコン周波数を選択しようと試行してもよい。各コグニティブＢＳが、その隣接者によって使用される、ビーコンおよび二次周波数を送信するための、二次周波数に関する情報を受信する。ＷＬＡＮセッティングの関連で例示的な方法を記述したが、上記で説明したように、例示的な方法は、ワイヤレスワイドエリアネットワーク（ＷＷＡＮ）、ＷＰＡＮ、ＷＣＡＮ、またはＷＭＡＮのような他のＷＡＮに適用可能である。
【００２９】
再び図５Ｂを参照すると、以下のアプローチは、Ｐ２Ｐのセッティングの際のデバイス発見に適用されてもよい。周波数分割多重化（ＦＤＤ）システムのケースでは、デバイス発見フェーズ、および、共通のコグニティブ周波数の選択のために、ＵＬのライセンスされている周波数を使用できるが、実際のＰ２Ｐ通信は、コグニティブ周波数を通すことがある。しかしながら、ＵＬのライセンスされている周波数上で送信しているデバイスが、アンカーＢＳ５５２に対して干渉を引き起こすことがある。この干渉は、適切に、ビーコン信号を設計し、送信電力を制御することによって減少させることができる。
【００３０】
多くのシナリオでは、ライセンスされている周波数は、Ｐ２Ｐデバイス発見のためには使用できない。例えば、（アンカーＢＳ５５２の）ＷＡＮフットプリントがＰ２Ｐ間隔よりもかなり大きい場合に、このことは起こることがある。デバイスは、ＷＬＡＮに関して上述したアプローチに類似している以下のアプローチを利用できる。第１に、ＭＳ５５４が、利用可能なチャネルを走査し、（チャネルを占有する一次ユーザが存在していない場合に利用可能な）測定した干渉電力にしたがってチャネルをランク付けてもよい。第２に、ＭＳ５５４が、測定値をアンカーＢＳ５５２に報告する。第３に、アンカーＢＳ５５２が、ビーコンを送信するために使用することになる利用可能なチャネルのサブセットＭを選択する。この値Ｍは、小さくてもよい（例えば、Ｍ＝１またはＭ＝２）。サブセットＭ中のチャネルのうちの１つをＭＳ５５４が少なくとも使用できるように、Ｍ個のチャネルは選択されるべきである。隣接者であるアンカーＢＳは、それらの対応する選択されたチャネルを交換することもあり、隣接者ＢＳの間での差異を最小にするように、Ｍ個のチャネルのサブセットを一緒に選択することもあり得る。第４に、アンカーＢＳが、隣接者のセル中で使用されるチャネル及びチャネルの選択したサブセットをＭＳ５５４に報知する。
【００３１】
Ｐ２Ｐデバイス発見のために、以下のプロトコルを使用できる。第１に、ＭＳ５５８が、選択したセットのＭ個のホワイトスペース周波数のうちの１つ以上のもの上でビーコンを送る。ビーコンは、ＭＳ５５８の動作周波数についての情報を含んでいる。ビーコンは、低いレートで送信され、低ＳＮＲで検出できる。第２に、チャネルのアドバタイズされたセット上でビーコンを周期的に走査することについて、アンカーＢＳ５５２によってＭＳ５５４は報知される。第３に、ＭＳ５５４が、ＭＳ５５８によって送信されたビーコンを検出し、そのビーコン品質が、あるしきい値よりも上である場合には、ＭＳ５５４は、その動作周波数上で、ＭＳ５５８の一次署名を測定し、アンカーＢＳ５５２に報告できる。デバイス発見フェーズが完了した時点で、Ｐ２Ｐ接続を通してＭＳ５５４をＭＳ５５８に接続させるためのプロトコルを開始できる。
【００３２】
再び図５Ａを参照すると、アンカーＢＳが利用可能でないときのＰ２Ｐ発見のために、以下で述べたプロトコルのわずかな変更を使用できる。このようなシナリオでは、各ネットワークノードが、利用可能なチャネルを走査し、測定された干渉に基づいて、そのチャネルをランク付けし、最良のＭ個のチャネル（例えば、Ｍ＝１またはＭ＝２）を選択する。ネットワークノードが、周期的な態様で、選択したＭ個のチャネル上でビーコンを送る。選択されたＭ個のチャネル上でビーコンを送信することに加えて、各デバイスが、Ｍ個のチャネル上で他のデバイスから送信されたビーコンをリスンする。デバイスの隣接中で他のビーコンから受信された情報は、それ自体のビーコンメッセージに組み込むことができる。
【００３３】
図７は、例示的な方法のフローチャート７００である。例示的な方法は、ＭＳ、またはそうでなければ別のワイヤレスデバイスによって実行されてもよい。方法では、ＭＳが、担当セルと通信する（７０２）。ＭＳが、担当セルから、ワイヤレスデバイスを発見するチャネルのセットを受信する（７０４）。発見するワイヤレスデバイスは、基地局であってもよい。代替的には、ＭＳは、担当セル以外の別のワイヤレスデバイスからチャネルのセットを受信してもよい。ＭＳは、ワイヤレスデバイスを発見するために、チャネルのセット中の各チャネルをサーチする（７０６）。ＭＳは、ワイヤレスデバイスから、チャネルのセット中の第１のチャネルに関する情報を受信する（７０８）。それに続いて、ＭＳが、信号の品質を決定する（７１０）。信号の品質がしきい値よりも上でない場合（７１２）、ＭＳは、ワイヤレスデバイスを発見するために、チャネルのセットをサーチし続ける（７０６）。さもなければ、信号の品質がしきい値よりも上である場合（７１２）、ＭＳは、信号に基づいて、第２のチャネルを決定する（７１４）。すなわち、信号は、第２のチャネルについての情報を含む。第２のチャネルは、第１のチャネルと異なっていてもよい。ＭＳは、その後、第２のチャネル上で、第２の信号をサーチしてもよい（７１８）。ＭＳは、第２のチャネル上で第２の信号を受信し、第２の信号の品質を決定する（７２０）。信号の品質がしきい値よりも上でない場合（７２２）、ＭＳは、ワイヤレスデバイスを発見するために、チャネルのセットをサーチし続ける（７０６）。さもなければ、第２の信号の品質がしきい値よりも上である場合（７２２）、ＭＳは、担当セルとの通信から、ワイヤレスデバイスとの通信に切り替えてもよい（７２４）。
【００３４】
チャネルのセットは、ホワイトスペースチャネルのセットであってもよい。さらには、信号は、ホワイトスペースチャネルのセット中のホワイトスペースチャネル上で、ワイヤレスデバイスから受信される二次パイロットであってもよく、第２の信号は、ホワイトスペースチャネルのセット中に存在していない動作チャネル上でワイヤレスデバイスから受信される一次パイロットであってもよい。
【００３５】
図８は、例示的な方法のフローチャート８００である。例示的な方法は、Ｐ２Ｐのセッティング中のコグニティブＢＳまたはＭＳのような、ワイヤレスデバイスによって実行されてもよい。ワイヤレスデバイスが、第１のチャネルについての情報を取得する（８０２）。加えて、ワイヤレスデバイスが、第１のチャネルとは異なる第２のチャネルについての情報を含む第１の信号を第１のチャネル上で送信する（８０４）。さらには、ワイヤレスデバイスが、第２のチャネル上で第２の信号を送信する（８０６）。１つの構成では、第１の信号は二次パイロットであり、第２のチャネルはトラフィック通信のための動作チャネルであり、第２の信号は動作チャネル上で送信される一次パイロットである。
【００３６】
１つの構成では、第１のチャネルについての情報を取得することは、複数のチャネル上のエネルギーを決定することと、最低のエネルギーチャネルのセットを選択することと、最低のエネルギーチャネルのセットから第１のチャネルを選択することとを含む。これは、マクロＢＳのカバレッジエリア中にＰ２Ｐ通信中のＭＳが存在していないときに行われてもよく、それとＰ２Ｐ通信中のＭＳが通信できる。別の構成では、第１のチャネルについての情報を取得することは、チャネルのセットを受信することと、チャネルのセットから第１のチャネルを選択することとを含む。これは、マクロＢＳのカバレッジエリア中にＰ２Ｐ通信中のＭＳが存在しているときに行われてもよく、それとＰ２Ｐ通信中のＭＳが通信できる。これは、コグニティブＢＳに対して行われてもよい。１つの構成では、第１のチャネルは、隣接しているワイヤレスデバイスとの協働に基づいて、第１の信号を送信するために選択される。１つの構成では、この協働は、隣接しているワイヤレスデバイスのうちの少なくとも１つと同じチャネルである第１のチャネルを選択することを含む。
【００３７】
図９は、例示的な方法のフローチャート９００である。例示的な方法は、アンカーＢＳまたはマクロＢＳのようなＢＳによって、またはそうでなければ別のワイヤレスデバイスによって実行されてもよい。方法では、ＢＳが、複数のホワイトスペースチャネル上で干渉を測定するように少なくとも１つのワイヤレスデバイスに要求する（９０２）。ＢＳは、ホワイトスペースチャネル上での干渉に関連する干渉情報を少なくとも１つのワイヤレスデバイスから受信する（９０４）。ＢＳは、干渉情報に基づいてホワイトスペースチャネルをランク付ける（９０６）。ＢＳは、ホワイトスペースチャネル間で最低の干渉を持つホワイトスペースチャネルのセットを選択する（９０８）。ＢＳは、コグニティブＢＳのような別のＢＳにホワイトスペースチャネルのセットを通信する（９１０）。コグニティブＢＳは、フェムトＢＳ、ミクロＢＳ、ピコＢＳ、またはそうでなければ、方法を実行するＢＳよりも低い電力クラスを有するＢＳであってもよい。ＢＳは、ホワイトスペースチャネルのセットを、ＭＳに、またはそうでなければ別のタイプのワイヤレスデバイスに通信する（９１２）。ＢＳは、ホワイトスペースチャネルのセット中のホワイトスペースチャネルのうちの１つ上でコグニティブＢＳから送信された二次パイロット信号をサーチするようにＭＳに要求する（９１４）。ＢＳは、二次パイロット信号の信号品質を測定するようにＭＳに要求する（９１６）。二次パイロット信号は、一次パイロット信号についての情報を含む（９１６）。二次パイロット信号の信号品質がしきい値よりも大きい場合、ＭＳが、一次パイロット信号の信号品質を測定するだろう。ＢＳは、トラフィック通信のための動作チャネル上でコグニティブＢＳから送信された一次パイロット信号の信号品質に関する情報をＭＳから受信する（９１８）。それに続いて、ＢＳは、一次パイロット信号の信号品質に関する受信した情報に基づいて、ＭＳからコグニティブＢＳにハンドオフするか否かを決定する（９２０）。
【００３８】
図１０は、例示的な装置１００のモジュールの図１０００である。例示的な装置１００は、ＭＳ、またはそうでなければ別のワイヤレスデバイスであってもよい。例示的な装置１００は、第１のチャネル上で第１の信号を受信するモジュール１００２と、第１の信号に基づいて第２のチャネルを決定するモジュール１００４と、第２のチャネル上で第２の信号を受信する１００６と、第２の信号の品質に基づいて、第２のチャネル上でワイヤレスデバイスと通信するモジュール１００８とを備えている。
【００３９】
図１１は、例示的な装置１００のモジュールの図１１００である。例示的な装置１００は、ＭＳ、コグニティブＢＳ、またはそうでなければ別のワイヤレスデバイスであってもよい。例示的な装置１００は、第１のチャネルについての情報を受信するモジュール１１０２と、第１のチャネルとは異なる第２のチャネルについての情報を含む第１の信号を、第１のチャネル上で送信するモジュール１１０４と、第２のチャネル上で第２の信号を送信するモジュール１１０６とを備えている。
【００４０】
図１２は、例示的な装置１００のモジュールの図１２００である。例示的な装置１００は、アンカーＢＳまたはマクロＢＳのようなＢＳ、またはそうでなければ別のワイヤレスデバイスであってもよい。例示的な装置１００は、チャネルのセットを第１のワイヤレスデバイスに通信するモジュール１２０２と、チャネルのセットを第２のワイヤレスデバイスに通信するモジュール１２０４と、チャネルのセット中のチャネル上で第１のワイヤレスデバイスから送信された二次パイロット信号をサーチするように第２のワイヤレスデバイスに要求するモジュール１２０６とを備えている。二次パイロット信号は、一次パイロット信号についての情報を含む。
【００４１】
再び図１を参照すると、１つの構成では、装置１００は、マクロＢＳであり、第１のワイヤレスデバイスにチャネルのセットを通信する手段と、チャネルのセットを第２のワイヤレスデバイスに通信する手段と、チャネルのセット中のチャネル上で第１のワイヤレスデバイスから送信された二次パイロット信号をサーチするように第２のワイヤレスデバイスに要求する手段とを備え、二次パイロット信号は、一次パイロット信号についての情報を含む。１つの構成では、装置１００は、複数のチャネル上で干渉を測定するように少なくとも１つのワイヤレスデバイスに要求する手段と、少なくとも１つのワイヤレスデバイスから、チャネル上の干渉に関連する干渉情報を受信する手段と、干渉情報に基づいてチャネルをランク付けする手段と、チャネル間で最低の干渉を持つチャネルのセットを選択することとをさらに備える。１つの構成では、装置１００は、二次パイロット信号を送信するために使用される二次パイロットチャネルを提供するように少なくとも１つのワイヤレスデバイスのそれぞれに要求する手段と、少なくとも１つのワイヤレスデバイスのそれぞれの二次パイロットチャネルを含めるようにチャネルのセットを選択する手段とをさらに備える。１つの構成では、装置１００は、二次パイロット信号の信号品質を測定するように第２のワイヤレスデバイスを要求する手段をさらに備える。１つの構成では、装置１００は、トラフィック通信のための動作チャネル上で第１のワイヤレスデバイスから送信された一次パイロット信号の信号品質に関する情報を第２のワイヤレスデバイスから受信する手段と、一次パイロット信号の信号品質に関する受信した情報に基づいて、第２のワイヤレスデバイスから第１のワイヤレスデバイスにハンドオフするか否かを決定する手段とをさらに備える。前述した手段は、前述した手段のそれぞれ中で識別した機能を実行するように構成されている処理システム１１０である。特に、前述した手段は、前述した手段のそれぞれにおいて識別した機能を実行するように構成されているプロセッサ１０４である。
【００４２】
別の構成では、装置１００は、（Ｐ２Ｐ通信中の）ＭＳまたはコグニティブＢＳであり、第１のチャネル上で第１の信号を受信する手段と、第１の信号に基づいて第２のチャネルを決定する手段と、第２のチャネル上で第２の信号を受信する手段と、第２の信号の品質に基づいて、第２のチャネル上でワイヤレスデバイスと通信する手段とを備える。１つの構成では、装置１００は、ワイヤレスデバイスを発見するホワイトスペースチャネルのセットを受信する手段をさらに備える。ホワイトスペースチャネルのセットは、第１のチャネルを含む。１つの構成では、装置１００は、ワイヤレスデバイスを発見するために、ホワイトスペースチャネルのセット中の各チャネルをサーチする手段をさらに備える。１つの構成では、装置１００は、第１の信号の品質を決定する手段と、第１の信号の品質がしきい値よりも上であるときに、第２のチャネル上で第２の信号をサーチする手段とをさらに備える。１つの構成では、装置１００は、担当セルと通信する手段と、第２の信号の品質を決定する手段と、第２の信号の品質がしきい値よりも上であるときに、担当セルとの通信から、ワイヤレスデバイスとの通信に切り替える手段とをさらに備える。前述した手段は、前述した手段のそれぞれ中で識別した機能を実行するように構成されている処理システム１１０である。特に、前述した手段は、前述した手段のそれぞれ中で識別した機能を実行するように構成されているプロセッサ１０４である。
【００４３】
別の構成では、装置１００は、ＭＳであり、第１のチャネルについての情報を取得する手段と、第１のチャネルとは異なる第２のチャネルについての情報を含む第１の信号を第１のチャネル上で送信する手段と、第２のチャネル上で第２の信号を送信する手段とを備える。１つの構成では、第１のチャネルについての情報を取得する手段は、複数のチャネル上でエネルギーを決定する手段と、最低のエネルギーチャネルのセットを選択する手段と、最低のエネルギーチャネルのセットから第１のチャネルを選択する手段とを備えている。１つの構成では、第１のチャネルについての情報を取得する手段は、チャネルのセットを受信する手段と、チャネルのセットから第１のチャネルを選択する手段とを備える。前述した手段は、前述した手段のそれぞれ中で識別した機能を実行するように構成されている処理システム１１０である。特に、前述した手段は、前述した手段のそれぞれ中で識別した機能を実行するように構成されているプロセッサ１０４である。
【００４４】
先の説明は、当業者が開示の全範囲を完全に理解できるように提供されている。ここで開示したさまざまな構成に対する改良は、当業者に容易に明らかになるであろう。したがって、特許請求の範囲は、ここで記述した開示のさまざまな態様に限定されることを意図しているものではなく、特許請求の範囲の文言と矛盾しない全範囲に一致させるべきである。要素への単数での参照は、単数であると特に述べられていない限り、「１つ及び１つのみ」を意味することを意図しているのではなく、むしろ「１つ以上の」を意味することを意図している。特に述べられていない限り、“いくつかの（ｓｏｍｅ）”という用語は、１つ以上のことを意味する。当業者に知られ、または後に知られることになる本開示全体に記述されているさまざまな態様の要素のすべての構成的及び機能的な均等物は、ここで参照により明確に組み込まれ、特許請求の範囲によって含まれることを意図している。さらに、ここで開示したものが、特許請求の範囲中に明示的に列挙されているか否かにかかわらず、公共に捧げられることを意図していない。どの請求項の要素も、要素が「する手段」というフレーズを用いて明示的に列挙されない限り、または方法の請求項のケースでは、要素が「するステップ」というフレーズを用いて列挙されない限り、３５Ｕ．Ｓ．Ｃ．１１２条第６パラグラフの規定のもとで解釈されるべきではない。
【図１】
2013529047.tif 000003
【図２】
2013529047.tif 000004
【図３Ａ】
2013529047.tif 000005
【図３Ｂ】
2013529047.tif 000006
【図４】
2013529047.tif 000007
【図５Ａ】
2013529047.tif 000008
【図５Ｂ】
2013529047.tif 000009
【図６】
2013529047.tif 000010
【図７】
2013529047.tif 000011
【図８】
2013529047.tif 000012
【図９】
2013529047.tif 000013
【図１０】
2013529047.tif 000014
【図１１】
2013529047.tif 000015
【図１２】
2013529047.tif 000016
【手続補正書】
【提出日】平成25年2月18日(2013.2.18)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
第１のチャネル上で第１の信号を受信することと、
前記第１の信号に基づいて第２のチャネルを決定することと、
前記第２のチャネル上で第２の信号を受信することと、
前記第２の信号の品質に基づいて、前記第２のチャネル上でワイヤレスデバイスと通信することとを含み、
前記第１の信号は、前記ワイヤレスデバイスの発見のために、前記第１のチャネル上で前記ワイヤレスデバイスから受信される二次パイロットであり、前記第２の信号は、前記第２のチャネル上で前記ワイヤレスデバイスから受信される一次パイロットであり、前記第２のチャネルは、前記ワイヤレスデバイスとのトラフィック通信のための動作チャネルである方法。
【請求項２】
前記第２のチャネルは、前記第１のチャネルと異なったものである請求項１記載の方法。
【請求項３】
前記第１の信号は、前記第２のチャネルについての情報を含む請求項１記載の方法。
【請求項４】
前記ワイヤレスデバイスを発見するチャネルのセットを受信することをさらに含み、前記チャネルのセットは、前記第１のチャネルを含む請求項１記載の方法。
【請求項５】
前記ワイヤレスデバイスを発見するために、前記チャネルのセット中の各チャネルをサーチすることをさらに含む請求項４記載の方法。
【請求項６】
前記第１のチャネルは、ホワイトスペースチャネルのセット中に存在しており、前記第２のチャネルは、前記ホワイトスペースチャネルのセット中に存在していない請求項４記載の方法。
【請求項７】
前記第１の信号の品質を決定することと、
前記第１の信号の品質がしきい値よりも上であるときに、前記第２のチャネル上で前記第２の信号をサーチすることとをさらに含む請求項１記載の方法。
【請求項８】
担当セルと通信することと、
前記第２の信号の品質を決定することと、
前記第２の信号の品質がしきい値よりも上であるときに、前記担当セルとの通信から、前記ワイヤレスデバイスとの通信に切り替えることとをさらに含む請求項１記載の方法。
【請求項９】
ワイヤレス通信の方法において、
第１のチャネルについての情報を取得することと、
前記第１のチャネルとは異なる第２のチャネルについての情報を含む第１の信号を前記第１のチャネル上で送信することと、
前記第２のチャネル上で第２の信号を送信することとを含み、
前記第１の信号は二次パイロットであり、前記第２のチャネルはトラフィック通信のための動作チャネルであり、前記第２の信号は前記動作チャネル上で送信される一次パイロットである方法。
【請求項１０】
前記第１のチャネルについての情報を取得することは、
複数のチャネル上のエネルギーを決定することと、
最低エネルギーチャネルのセットを選択することと、
前記最低エネルギーチャネルのセットから前記第１のチャネルを選択することとを含む請求項９記載の方法。
【請求項１１】
前記第１のチャネルについての情報を取得することは、
チャネルのセットを受信することと、
前記チャネルのセットから前記第１のチャネルを選択することとを含む請求項９記載の方法。
【請求項１２】
前記第１のチャネルは、隣接しているワイヤレスデバイスとの協働に基づいて、前記第１の信号を送信するために選択される請求項１１記載の方法。
【請求項１３】
前記協働は、前記隣接しているワイヤレスデバイスのうちの少なくとも１つと同じチャネルである前記第１のチャネルを選択することを含む請求項１２記載の方法。
【請求項１４】
ワイヤレス通信の方法において、
チャネルのセットを第１のワイヤレスデバイスに通信することと、
前記チャネルのセットを第２のワイヤレスデバイスに通信することと、
前記チャネルのセット中のチャネル上で、前記第１のワイヤレスデバイスから送信された二次パイロット信号をサーチするように前記第２のワイヤレスデバイスに要求することとを含み、
前記二次パイロット信号は、一次パイロット信号についての情報を含む方法。
【請求項１５】
前記チャネルのセットはホワイトスペースチャネルを含み、前記第１のワイヤレスデバイスは基地局であり、前記第２のワイヤレスデバイスは移動局である請求項１４記載の方法。
【請求項１６】
複数のチャネル上での干渉を測定するように少なくとも１つのワイヤレスデバイスに要求することと、
前記チャネル上での干渉に関連する干渉情報を、前記少なくとも１つのワイヤレスデバイスから受信することと、
前記干渉情報に基づいて、前記チャネルをランク付けすることと、
前記チャネル間で最低の干渉を有する前記チャネルのセットを選択することをさらに含む請求項１４記載の方法。
【請求項１７】
前記二次パイロット信号を送信するために使用される二次パイロットチャネルを提供するように少なくとも１つのワイヤレスデバイスのそれぞれに要求することと、
前記少なくとも１つのワイヤレスデバイスのそれぞれの前記二次パイロットチャネルを含めるように前記チャネルのセットを選択することとをさらに含む請求項１４記載の方法。
【請求項１８】
前記二次パイロット信号の信号品質を測定するように前記第２のワイヤレスデバイスに要求することをさらに含む請求項１４記載の方法。
【請求項１９】
トラフィック通信のための動作チャネル上で前記第１のワイヤレスデバイスから送信された前記一次パイロット信号の信号品質に関する情報を前記第２のワイヤレスデバイスから受信することと、
前記一次パイロット信号の信号品質に関する前記受信した情報に基づいて、前記第２のワイヤレスデバイスから前記第１のワイヤレスデバイスにハンドオフするか否かを決定することをさらに含む請求項１４記載の方法。
【請求項２０】
前記動作チャネルは、前記チャネルのセット中に存在していない請求項１９記載の方法。
【請求項２１】
ワイヤレス通信の装置において、
第１のチャネル上で第１の信号を受信する手段と、
前記第１の信号に基づいて第２のチャネルを決定する手段と、
前記第２のチャネル上で第２の信号を受信する手段と、
前記第２の信号の品質に基づいて、前記第２のチャネル上でワイヤレスデバイスと通信する手段とを具備し、
前記第１の信号は、前記ワイヤレスデバイスの発見のために、前記第１のチャネル上で前記ワイヤレスデバイスから受信される二次パイロットであり、前記第２の信号は、前記第２のチャネル上で前記ワイヤレスデバイスから受信される一次パイロットであり、前記第２のチャネルは、前記ワイヤレスデバイスとのトラフィック通信のための動作チャネルである装置。
【請求項２２】
前記第２のチャネルは、前記第１のチャネルと異なったものである請求項２１記載の装置。
【請求項２３】
前記第１の信号は、前記第２のチャネルについての情報を含む請求項２１記載の装置。
【請求項２４】
前記ワイヤレスデバイスを発見するチャネルのセットを受信する手段をさらに具備し、前記チャネルのセットは、前記第１のチャネルを含む請求項２１記載の装置。
【請求項２５】
前記ワイヤレスデバイスを発見するために、前記チャネルのセット中の各チャネルをサーチする手段をさらに具備する請求項２４記載の装置。
【請求項２６】
前記第１のチャネルは、ホワイトスペースチャネルのセット中に存在しており、前記第２のチャネルは、前記ホワイトスペースチャネルのセット中に存在していない請求項２４記載の装置。
【請求項２７】
前記第１の信号の品質を決定する手段と、
前記第１の信号の品質がしきい値よりも上であるときに、前記第２のチャネル上で前記第２の信号をサーチする手段とをさらに具備する請求項２１記載の装置。
【請求項２８】
担当セルと通信する手段と、
前記第２の信号の品質を決定する手段と、
前記第２の信号の品質がしきい値よりも上であるときに、前記担当セルとの通信から、前記ワイヤレスデバイスとの通信に切り替える手段とをさらに具備する請求項２１記載の装置。
【請求項２９】
ワイヤレス通信の装置において、
第１のチャネルについての情報を取得する手段と、
前記第１のチャネルとは異なる第２のチャネルについての情報を含む第１の信号を前記第１のチャネル上で送信する手段と、
前記第２のチャネル上で第２の信号を送信する手段とを具備し、
前記第１の信号は二次パイロットであり、前記第２のチャネルはトラフィック通信のための動作チャネルであり、前記第２の信号は前記動作チャネル上で送信される一次パイロットである装置。
【請求項３０】
前記第１のチャネルについての情報を取得する手段は、
複数のチャネル上のエネルギーを決定する手段と、
最低のエネルギーチャネルのセットを選択する手段と、
前記最低のエネルギーチャネルのセットから前記第１のチャネルを選択する手段とを備える請求項２９記載の装置。
【請求項３１】
前記第１のチャネルについての情報を取得する手段は、
チャネルのセットを受信する手段と、
前記チャネルのセットから前記第１のチャネルを選択する手段とを備える請求項２９記載の装置。
【請求項３２】
前記第１のチャネルは、隣接しているワイヤレスデバイスとの協働に基づいて、前記第１の信号を送信するために選択される請求項２９記載の装置。
【請求項３３】
前記協働は、前記隣接しているワイヤレスデバイスのうちの少なくとも１つと同じチャネルである前記第１のチャネルを選択することを含む請求項３２記載の装置。
【請求項３４】
ワイヤレス通信の装置において、
チャネルのセットを第１のワイヤレスデバイスに通信する手段と、
前記チャネルのセットを第２のワイヤレスデバイスに通信する手段と、
前記チャネルのセット中のチャネル上で、前記第１のワイヤレスデバイスから送信された二次パイロット信号をサーチするように前記第２のワイヤレスデバイスに要求する手段とを具備し、
前記二次パイロット信号は、一次パイロット信号についての情報を含む装置。
【請求項３５】
前記チャネルのセットはホワイトスペースチャネルを含み、前記第１のワイヤレスデバイスは基地局であり、前記第２のワイヤレスデバイスは移動局である請求項３４記載の装置。
【請求項３６】
複数のチャネル上での干渉を測定するように少なくとも１つのワイヤレスデバイスに要求する手段と、
前記チャネル上での干渉に関連する干渉情報を、前記少なくとも１つのワイヤレスデバイスから受信する手段と、
前記干渉情報に基づいて、前記チャネルをランク付けする手段と、
前記チャネル間で最低の干渉を有する前記チャネルのセットを選択する手段とをさらに具備する請求項３４記載の装置。
【請求項３７】
前記二次パイロット信号を送信するために使用される二次パイロットチャネルを提供するように少なくとも１つのワイヤレスデバイスのそれぞれに要求する手段と、
前記少なくとも１つのワイヤレスデバイスのそれぞれの前記二次パイロットチャネルを含めるように前記チャネルのセットを選択する手段とをさらに具備する請求項３４記載の装置。
【請求項３８】
前記二次パイロット信号の信号品質を測定するように前記第２のワイヤレスデバイスに要求する手段をさらに具備する請求項３４記載の装置。
【請求項３９】
トラフィック通信のための動作チャネル上で前記第１のワイヤレスデバイスから送信された前記一次パイロット信号の信号品質に関する情報を前記第２のワイヤレスデバイスから受信する手段と、
前記一次パイロット信号の信号品質に関する前記受信した情報に基づいて、前記第２のワイヤレスデバイスから前記第１のワイヤレスデバイスにハンドオフするか否かを決定する手段とをさらに具備する請求項３４記載の装置。
【請求項４０】
前記動作チャネルは、前記チャネルのセット中に存在していない請求項３９記載の装置。
【請求項４１】
コンピュータプログラムプロダクトにおいて、
第１のチャネル上で第１の信号を受信し、
前記第１の信号に基づいて第２のチャネルを決定し、
前記第２のチャネル上で第２の信号を受信し、
前記第２の信号の品質に基づいて、前記第２のチャネル上でワイヤレスデバイスと通信するためのコードを含むコンピュータ読み取り可能媒体を具備し、
前記第１の信号は、前記ワイヤレスデバイスの発見のために、前記第１のチャネル上で前記ワイヤレスデバイスから受信される二次パイロットであり、前記第２の信号は、前記第２のチャネル上で前記ワイヤレスデバイスから受信される一次パイロットであり、前記第２のチャネルは、前記ワイヤレスデバイスとのトラフィック通信のための動作チャネルであるコンピュータプログラムプロダクト。
【請求項４２】
コンピュータプログラムプロダクトにおいて、
第１のチャネルについての情報を取得し、
前記第１のチャネルとは異なる第２のチャネルについての情報を含む第１の信号を前記第１のチャネル上で送信し、
前記第２のチャネル上で第２の信号を送信するためのコードを含むコンピュータ読み取り可能媒体を具備し、
前記第１の信号は二次パイロットであり、前記第２のチャネルはトラフィック通信のための動作チャネルであり、前記第２の信号は前記動作チャネル上で送信される一次パイロットであるコンピュータプログラムプロダクト。
【請求項４３】
コンピュータプログラムプロダクトにおいて、
チャネルのセットを第１のワイヤレスデバイスに通信し、
前記チャネルのセットを第２のワイヤレスデバイスに通信し、
前記チャネルのセット中のチャネル上で前記第１のワイヤレスデバイスから送信された二次パイロット信号をサーチするように前記第２のワイヤレスデバイスに要求するためのコードを含むコンピュータ読み取り可能媒体を具備し、
前記二次パイロット信号は、一次パイロット信号についての情報を含むコンピュータプログラムプロダクト。
【請求項４４】
ワイヤレス通信のための装置において、
第１のチャネル上で第１の信号を受信し、
前記第１の信号に基づいて第２のチャネルを決定し、
前記第２のチャネル上で第２の信号を受信し、
前記第２の信号の品質に基づいて、前記第２のチャネル上でワイヤレスデバイスと通信するように構成されている処理システムを具備し、
前記第１の信号は、前記ワイヤレスデバイスの発見のために、前記第１のチャネル上で前記ワイヤレスデバイスから受信される二次パイロットであり、前記第２の信号は、前記第２のチャネル上で前記ワイヤレスデバイスから受信される一次パイロットであり、前記第２のチャネルは、前記ワイヤレスデバイスとのトラフィック通信のための動作チャネルである装置。
【請求項４５】
ワイヤレス通信のための装置において、
第１のチャネルについての情報を取得し、
前記第１のチャネルとは異なる第２のチャネルについての情報を含む第１の信号を前記第１のチャネル上で送信し、
前記第２のチャネル上で第２の信号を送信するように構成されている処理システムを具備し、
前記第１の信号は二次パイロットであり、前記第２のチャネルはトラフィック通信のための動作チャネルであり、前記第２の信号は前記動作チャネル上で送信される一次パイロットである装置。
【請求項４６】
ワイヤレス通信のための装置において、
チャネルのセットを第１のワイヤレスデバイスに通信し、
前記チャネルのセットを第２のワイヤレスデバイスに通信し、
前記チャネルのセット中のチャネル上で前記第１のワイヤレスデバイスから送信された二次パイロット信号をサーチするように前記第２のワイヤレスデバイスに要求するように構成されている処理システムを具備し、
前記二次パイロット信号は、一次パイロット信号についての情報を含む装置。
【手続補正２】
【補正対象書類名】明細書
【補正対象項目名】００４４
【補正方法】変更
【補正の内容】
【００４４】
先の説明は、当業者が開示の全範囲を完全に理解できるように提供されている。ここで開示したさまざまな構成に対する改良は、当業者に容易に明らかになるであろう。したがって、特許請求の範囲は、ここで記述した開示のさまざまな態様に限定されることを意図しているものではなく、特許請求の範囲の文言と矛盾しない全範囲に一致させるべきである。要素への単数での参照は、単数であると特に述べられていない限り、「１つ及び１つのみ」を意味することを意図しているのではなく、むしろ「１つ以上の」を意味することを意図している。特に述べられていない限り、“いくつかの（ｓｏｍｅ）”という用語は、１つ以上のことを意味する。当業者に知られ、または後に知られることになる本開示全体に記述されているさまざまな態様の要素のすべての構成的及び機能的な均等物は、ここで参照により明確に組み込まれ、特許請求の範囲によって含まれることを意図している。さらに、ここで開示したものが、特許請求の範囲中に明示的に列挙されているか否かにかかわらず、公共に捧げられることを意図していない。どの請求項の要素も、要素が「する手段」というフレーズを用いて明示的に列挙されない限り、または方法の請求項のケースでは、要素が「するステップ」というフレーズを用いて列挙されない限り、３５Ｕ．Ｓ．Ｃ．１１２条第６パラグラフの規定のもとで解釈されるべきではない。
以下に、本願出願の当初の特許請求の範囲に記載された発明を付記する。
［１］ワイヤレス通信の方法において、
第１のチャネル上で第１の信号を受信することと、
前記第１の信号に基づいて第２のチャネルを決定することと、
前記第２のチャネル上で第２の信号を受信することと、
前記第２の信号の品質に基づいて、前記第２のチャネル上でワイヤレスデバイスと通信することとを含む方法。
［２］前記第２のチャネルは、前記第１のチャネルと異なったものである［１］記載の方法。
［３］前記第１の信号は、前記第２のチャネルについての情報を含む［１］記載の方法。
［４］前記第１の信号は、前記ワイヤレスデバイスの発見のために、前記第１のチャネル上で前記ワイヤレスデバイスから受信される二次パイロットであり、前記第２の信号は、前記第２のチャネル上で前記ワイヤレスデバイスから受信される一次パイロットであり、前記第２のチャネルは、前記ワイヤレスデバイスとのトラフィック通信のための動作チャネルである［１］記載の方法。
［５］前記ワイヤレスデバイスを発見するチャネルのセットを受信することをさらに含み、前記チャネルのセットは、前記第１のチャネルを含む［１］記載の方法。
［６］前記ワイヤレスデバイスを発見するために、前記チャネルのセット中の各チャネルをサーチすることをさらに含む［５］記載の方法。
［７］前記第１のチャネルは、ホワイトスペースチャネルのセット中に存在しており、前記第２のチャネルは、前記ホワイトスペースチャネルのセット中に存在していない［５］記載の方法。
［８］前記第１の信号の品質を決定することと、
前記第１の信号の品質がしきい値よりも上であるときに、前記第２のチャネル上で前記第２の信号をサーチすることとをさらに含む［１］記載の方法。
［９］担当セルと通信することと、
前記第２の信号の品質を決定することと、
前記第２の信号の品質がしきい値よりも上であるときに、前記担当セルとの通信から、前記ワイヤレスデバイスとの通信に切り替えることとをさらに含む［１］記載の方法。
［１０］ワイヤレス通信の方法において、
第１のチャネルについての情報を取得することと、
前記第１のチャネルとは異なる第２のチャネルについての情報を含む第１の信号を前記第１のチャネル上で送信することと、
前記第２のチャネル上で第２の信号を送信することとを含む方法。
［１１］前記第１の信号は二次パイロットであり、前記第２のチャネルはトラフィック通信のための動作チャネルであり、前記第２の信号は前記動作チャネル上で送信される一次パイロットである［１０］記載の方法。
［１２］前記第１のチャネルについての情報を取得することは、
複数のチャネル上のエネルギーを決定することと、
最低エネルギーチャネルのセットを選択することと、
前記最低エネルギーチャネルのセットから前記第１のチャネルを選択することとを含む［１０］記載の方法。
［１３］前記第１のチャネルについての情報を取得することは、
チャネルのセットを受信することと、
前記チャネルのセットから前記第１のチャネルを選択することとを含む［１０］記載の方法。
［１４］前記第１のチャネルは、隣接しているワイヤレスデバイスとの協働に基づいて、前記第１の信号を送信するために選択される［１３］記載の方法。
［１５］前記協働は、前記隣接しているワイヤレスデバイスのうちの少なくとも１つと同じチャネルである前記第１のチャネルを選択することを含む［１４］記載の方法。
［１６］ワイヤレス通信の方法において、
チャネルのセットを第１のワイヤレスデバイスに通信することと、
前記チャネルのセットを第２のワイヤレスデバイスに通信することと、
前記チャネルのセット中のチャネル上で、前記第１のワイヤレスデバイスから送信された二次パイロット信号をサーチするように前記第２のワイヤレスデバイスに要求することとを含み、
前記二次パイロット信号は、一次パイロット信号についての情報を含む方法。
［１７］前記チャネルのセットはホワイトスペースチャネルを含み、前記第１のワイヤレスデバイスは基地局であり、前記第２のワイヤレスデバイスは移動局である［１６］記載の方法。
［１８］複数のチャネル上での干渉を測定するように少なくとも１つのワイヤレスデバイスに要求することと、
前記チャネル上での干渉に関連する干渉情報を、前記少なくとも１つのワイヤレスデバイスから受信することと、
前記干渉情報に基づいて、前記チャネルをランク付けすることと、
前記チャネル間で最低の干渉を有する前記チャネルのセットを選択することをさらに含む［１６］記載の方法。
［１９］前記二次パイロット信号を送信するために使用される二次パイロットチャネルを提供するように少なくとも１つのワイヤレスデバイスのそれぞれに要求することと、
前記少なくとも１つのワイヤレスデバイスのそれぞれの前記二次パイロットチャネルを含めるように前記チャネルのセットを選択することとをさらに含む［１６］記載の方法。
［２０］前記二次パイロット信号の信号品質を測定するように前記第２のワイヤレスデバイスに要求することをさらに含む［１６］記載の方法。
［２１］トラフィック通信のための動作チャネル上で前記第１のワイヤレスデバイスから送信された前記一次パイロット信号の信号品質に関する情報を前記第２のワイヤレスデバイスから受信することと、
前記一次パイロット信号の信号品質に関する前記受信した情報に基づいて、前記第２のワイヤレスデバイスから前記第１のワイヤレスデバイスにハンドオフするか否かを決定することをさらに含む［１６］記載の方法。
［２２］前記動作チャネルは、前記チャネルのセット中に存在していない［２１］記載の方法。
［２３］ワイヤレス通信の装置において、
第１のチャネル上で第１の信号を受信する手段と、
前記第１の信号に基づいて第２のチャネルを決定する手段と、
前記第２のチャネル上で第２の信号を受信する手段と、
前記第２の信号の品質に基づいて、前記第２のチャネル上でワイヤレスデバイスと通信する手段とを具備する装置。
［２４］前記第２のチャネルは、前記第１のチャネルと異なったものである［２３］記載の装置。
［２５］前記第１の信号は、前記第２のチャネルについての情報を含む［２３］記載の装置。
［２６］前記第１の信号は、前記ワイヤレスデバイスの発見のために、前記第１のチャネル上で前記ワイヤレスデバイスから受信される二次パイロットであり、前記第２の信号は、前記第２のチャネル上で前記ワイヤレスデバイスから受信される一次パイロットであり、前記第２のチャネルは、前記ワイヤレスデバイスとのトラフィック通信のための動作チャネルである［２３］記載の装置。
［２７］前記ワイヤレスデバイスを発見するチャネルのセットを受信する手段をさらに具備し、前記チャネルのセットは、前記第１のチャネルを含む［２３］記載の装置。
［２８］前記ワイヤレスデバイスを発見するために、前記チャネルのセット中の各チャネルをサーチする手段をさらに具備する［２７］記載の装置。
［２９］前記第１のチャネルは、ホワイトスペースチャネルのセット中に存在しており、前記第２のチャネルは、前記ホワイトスペースチャネルのセット中に存在していない［２７］記載の装置。
［３０］前記第１の信号の品質を決定する手段と、
前記第１の信号の品質がしきい値よりも上であるときに、前記第２のチャネル上で前記第２の信号をサーチする手段とをさらに具備する［２３］記載の装置。
［３１］担当セルと通信する手段と、
前記第２の信号の品質を決定する手段と、
前記第２の信号の品質がしきい値よりも上であるときに、前記担当セルとの通信から、前記ワイヤレスデバイスとの通信に切り替える手段とをさらに具備する［２３］記載の装置。
［３２］ワイヤレス通信の装置において、
第１のチャネルについての情報を取得する手段と、
前記第１のチャネルとは異なる第２のチャネルについての情報を含む第１の信号を前記第１のチャネル上で送信する手段と、
前記第２のチャネル上で第２の信号を送信する手段とを具備する装置。
［３３］前記第１の信号は二次パイロットであり、前記第２のチャネルはトラフィック通信のための動作チャネルであり、前記第２の信号は前記動作チャネル上で送信される一次パイロットである［３２］記載の装置。
［３４］前記第１のチャネルについての情報を取得する手段は、
複数のチャネル上のエネルギーを決定する手段と、
最低のエネルギーチャネルのセットを選択する手段と、
前記最低のエネルギーチャネルのセットから前記第１のチャネルを選択する手段とを備える［３２］記載の装置。
［３５］前記第１のチャネルについての情報を取得する手段は、
チャネルのセットを受信する手段と、
前記チャネルのセットから前記第１のチャネルを選択する手段とを備える［３２］記載の装置。
［３６］前記第１のチャネルは、隣接しているワイヤレスデバイスとの協働に基づいて、前記第１の信号を送信するために選択される［３２］記載の装置。
［３７］前記協働は、前記隣接しているワイヤレスデバイスのうちの少なくとも１つと同じチャネルである前記第１のチャネルを選択することを含む［３６］記載の装置。
［３８］ワイヤレス通信の装置において、
チャネルのセットを第１のワイヤレスデバイスに通信する手段と、
前記チャネルのセットを第２のワイヤレスデバイスに通信する手段と、
前記チャネルのセット中のチャネル上で、前記第１のワイヤレスデバイスから送信された二次パイロット信号をサーチするように前記第２のワイヤレスデバイスに要求する手段とを具備し、
前記二次パイロット信号は、一次パイロット信号についての情報を含む装置。
［３９］前記チャネルのセットはホワイトスペースチャネルを含み、前記第１のワイヤレスデバイスは基地局であり、前記第２のワイヤレスデバイスは移動局である［３８］記載の装置。
［４０］複数のチャネル上での干渉を測定するように少なくとも１つのワイヤレスデバイスに要求する手段と、
前記チャネル上での干渉に関連する干渉情報を、前記少なくとも１つのワイヤレスデバイスから受信する手段と、
前記干渉情報に基づいて、前記チャネルをランク付けする手段と、
前記チャネル間で最低の干渉を有する前記チャネルのセットを選択する手段とをさらに具備する［３８］記載の装置。
［４１］前記二次パイロット信号を送信するために使用される二次パイロットチャネルを提供するように少なくとも１つのワイヤレスデバイスのそれぞれに要求する手段と、
前記少なくとも１つのワイヤレスデバイスのそれぞれの前記二次パイロットチャネルを含めるように前記チャネルのセットを選択する手段とをさらに具備する［３８］記載の装置。
［４２］前記二次パイロット信号の信号品質を測定するように前記第２のワイヤレスデバイスに要求する手段をさらに具備する［３８］記載の装置。
［４３］トラフィック通信のための動作チャネル上で前記第１のワイヤレスデバイスから送信された前記一次パイロット信号の信号品質に関する情報を前記第２のワイヤレスデバイスから受信する手段と、
前記一次パイロット信号の信号品質に関する前記受信した情報に基づいて、前記第２のワイヤレスデバイスから前記第１のワイヤレスデバイスにハンドオフするか否かを決定する手段とをさらに具備する［３８］記載の装置。
［４４］前記動作チャネルは、前記チャネルのセット中に存在していない［４３］記載の装置。
［４５］コンピュータプログラムプロダクトにおいて、
第１のチャネル上で第１の信号を受信し、
前記第１の信号に基づいて第２のチャネルを決定し、
前記第２のチャネル上で第２の信号を受信し、
前記第２の信号の品質に基づいて、前記第２のチャネル上でワイヤレスデバイスと通信するためのコードを含むコンピュータ読み取り可能媒体を具備するコンピュータプログラムプロダクト。
［４６］コンピュータプログラムプロダクトにおいて、
第１のチャネルについての情報を取得し、
前記第１のチャネルとは異なる第２のチャネルについての情報を含む第１の信号を前記第１のチャネル上で送信し、
前記第２のチャネル上で第２の信号を送信するためのコードを含むコンピュータ読み取り可能媒体を具備するコンピュータプログラムプロダクト。
［４７］コンピュータプログラムプロダクトにおいて、
チャネルのセットを第１のワイヤレスデバイスに通信し、
前記チャネルのセットを第２のワイヤレスデバイスに通信し、
前記チャネルのセット中のチャネル上で前記第１のワイヤレスデバイスから送信された二次パイロット信号をサーチするように前記第２のワイヤレスデバイスに要求するためのコードを含むコンピュータ読み取り可能媒体を具備し、
前記二次パイロット信号は、一次パイロット信号についての情報を含むコンピュータプログラムプロダクト。
［４８］ワイヤレス通信のための装置において、
第１のチャネル上で第１の信号を受信し、
前記第１の信号に基づいて第２のチャネルを決定し、
前記第２のチャネル上で第２の信号を受信し、
前記第２の信号の品質に基づいて、前記第２のチャネル上でワイヤレスデバイスと通信するように構成されている処理システムを具備する装置。
［４９］ワイヤレス通信のための装置において、
第１のチャネルについての情報を取得し、
前記第１のチャネルとは異なる第２のチャネルについての情報を含む第１の信号を前記第１のチャネル上で送信し、
前記第２のチャネル上で第２の信号を送信するように構成されている処理システムを具備する装置。
［５０］ワイヤレス通信のための装置において、
チャネルのセットを第１のワイヤレスデバイスに通信し、
前記チャネルのセットを第２のワイヤレスデバイスに通信し、
前記チャネルのセット中のチャネル上で前記第１のワイヤレスデバイスから送信された二次パイロット信号をサーチするように前記第２のワイヤレスデバイスに要求するように構成されている処理システムを具備し、
前記二次パイロット信号は、一次パイロット信号についての情報を含む装置。
【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
第１のチャネル上で第１の信号を受信することと、
前記第１の信号に基づいて第２のチャネルを決定することと、
前記第２のチャネル上で第２の信号を受信することと、
前記第２の信号の品質に基づいて、前記第２のチャネル上でワイヤレスデバイスと通信することとを含み、
前記第１の信号は、前記ワイヤレスデバイスの発見のために、前記第１のチャネル上で前記ワイヤレスデバイスから受信される二次パイロットであり、前記第２の信号は、前記第２のチャネル上で前記ワイヤレスデバイスから受信される一次パイロットであり、前記第２のチャネルは、前記ワイヤレスデバイスとのトラフィック通信のための動作チャネルである方法。
【請求項２】
前記第２のチャネルは、前記第１のチャネルと異なったものである請求項１記載の方法。
【請求項３】
前記第１の信号は、前記第２のチャネルについての情報を含む請求項１記載の方法。
【請求項４】
前記ワイヤレスデバイスを発見するチャネルのセットを受信することをさらに含み、前記チャネルのセットは、前記第１のチャネルを含む請求項１記載の方法。
【請求項５】
前記ワイヤレスデバイスを発見するために、前記チャネルのセット中の各チャネルをサーチすることをさらに含む請求項４記載の方法。
【請求項６】
前記第１のチャネルは、ホワイトスペースチャネルのセット中に存在しており、前記第２のチャネルは、前記ホワイトスペースチャネルのセット中に存在していない請求項４記載の方法。
【請求項７】
前記第１の信号の品質を決定することと、
前記第１の信号の品質がしきい値より上であるときに、前記第２のチャネル上で前記第２の信号をサーチすることとをさらに含む請求項１記載の方法。
【請求項８】
担当セルと通信することと、
前記第２の信号の品質を決定することと、
前記第２の信号の品質がしきい値より上であるときに、前記担当セルとの通信から、前記ワイヤレスデバイスとの通信に切り替えることとをさらに含む請求項１記載の方法。
【請求項９】
ワイヤレス通信の方法において、
第１のチャネルについての情報を取得することと、
前記第１のチャネルとは異なる第２のチャネルについての情報を含む第１の信号を前記第１のチャネル上で送信することと、
前記第２のチャネル上で第２の信号を送信することとを含み、
前記第１の信号は二次パイロットであり、前記第２のチャネルはトラフィック通信のための動作チャネルであり、前記第２の信号は前記動作チャネル上で送信される一次パイロットである方法。
【請求項１０】
前記第１のチャネルについての情報を取得することは、
複数のチャネル上のエネルギーを決定することと、
最低のエネルギーチャネルのセットを選択することと、
前記最低のエネルギーチャネルのセットから前記第１のチャネルを選択することとを含む請求項９記載の方法。
【請求項１１】
前記第１のチャネルについての情報を取得することは、
チャネルのセットを受信することと、
前記チャネルのセットから前記第１のチャネルを選択することとを含む請求項９記載の方法。
【請求項１２】
前記第１のチャネルは、隣接しているワイヤレスデバイスとの協働に基づいて、前記第１の信号を送信するために選択される請求項１１記載の方法。
【請求項１３】
前記協働は、前記隣接しているワイヤレスデバイスのうちの少なくとも１つと同じチャネルである前記第１のチャネルを選択することを含む請求項１２記載の方法。
【請求項１４】
ワイヤレス通信の方法において、
チャネルのセットを第１のワイヤレスデバイスに通信することと、
前記チャネルのセットを第２のワイヤレスデバイスに通信することと、
前記チャネルのセット中のチャネル上で、前記第１のワイヤレスデバイスから送信された二次パイロット信号をサーチするように前記第２のワイヤレスデバイスに要求することとを含み、
前記二次パイロット信号は、一次パイロット信号についての情報を含む方法。
【請求項１５】
前記チャネルのセットはホワイトスペースチャネルを含み、前記第１のワイヤレスデバイスは基地局であり、前記第２のワイヤレスデバイスは移動局である請求項１４記載の方法。
【請求項１６】
複数のチャネル上での干渉を測定するように少なくとも１つのワイヤレスデバイスに要求することと、
前記チャネル上での干渉に関連する干渉情報を、前記少なくとも１つのワイヤレスデバイスから受信することと、
前記干渉情報に基づいて、前記チャネルをランク付けすることと、
前記チャネル間で最低の干渉を有する前記チャネルのセットを選択することをさらに含む請求項１４記載の方法。
【請求項１７】
前記二次パイロット信号を送信するために使用される二次パイロットチャネルを提供するように少なくとも１つのワイヤレスデバイスのそれぞれに要求することと、
前記少なくとも１つのワイヤレスデバイスのそれぞれの前記二次パイロットチャネルを含めるように前記チャネルのセットを選択することとをさらに含む請求項１４記載の方法。
【請求項１８】
前記二次パイロット信号の信号品質を測定するように前記第２のワイヤレスデバイスに要求することをさらに含む請求項１４記載の方法。
【請求項１９】
トラフィック通信のための動作チャネル上で前記第１のワイヤレスデバイスから送信された前記一次パイロット信号の信号品質に関する情報を前記第２のワイヤレスデバイスから受信することと、
前記一次パイロット信号の信号品質に関する前記受信した情報に基づいて、前記第２のワイヤレスデバイスから前記第１のワイヤレスデバイスにハンドオフするか否かを決定することをさらに含む請求項１４記載の方法。
【請求項２０】
前記動作チャネルは、前記チャネルのセット中に存在していない請求項１９記載の方法。
【請求項２１】
ワイヤレス通信の装置において、
第１のチャネル上で第１の信号を受信する手段と、
前記第１の信号に基づいて第２のチャネルを決定する手段と、
前記第２のチャネル上で第２の信号を受信する手段と、
前記第２の信号の品質に基づいて、前記第２のチャネル上でワイヤレスデバイスと通信する手段とを具備し、
前記第１の信号は、前記ワイヤレスデバイスの発見のために、前記第１のチャネル上で前記ワイヤレスデバイスから受信される二次パイロットであり、前記第２の信号は、前記第２のチャネル上で前記ワイヤレスデバイスから受信される一次パイロットであり、前記第２のチャネルは、前記ワイヤレスデバイスとのトラフィック通信のための動作チャネルである装置。
【請求項２２】
前記第２のチャネルは、前記第１のチャネルと異なったものである請求項２１記載の装置。
【請求項２３】
前記第１の信号は、前記第２のチャネルについての情報を含む請求項２１記載の装置。
【請求項２４】
前記ワイヤレスデバイスを発見するチャネルのセットを受信する手段をさらに具備し、前記チャネルのセットは、前記第１のチャネルを含む請求項２１記載の装置。
【請求項２５】
前記ワイヤレスデバイスを発見するために、前記チャネルのセット中の各チャネルをサーチする手段をさらに具備する請求項２４記載の装置。
【請求項２６】
前記第１のチャネルは、ホワイトスペースチャネルのセット中に存在しており、前記第２のチャネルは、前記ホワイトスペースチャネルのセット中に存在していない請求項２４記載の装置。
【請求項２７】
前記第１の信号の品質を決定する手段と、
前記第１の信号の品質がしきい値より上であるときに、前記第２のチャネル上で前記第２の信号をサーチする手段とをさらに具備する請求項２１記載の装置。
【請求項２８】
担当セルと通信する手段と、
前記第２の信号の品質を決定する手段と、
前記第２の信号の品質がしきい値より上であるときに、前記担当セルとの通信から、前記ワイヤレスデバイスとの通信に切り替える手段とをさらに具備する請求項２１記載の装置。
【請求項２９】
ワイヤレス通信の装置において、
第１のチャネルについての情報を取得する手段と、
前記第１のチャネルとは異なる第２のチャネルについての情報を含む第１の信号を前記第１のチャネル上で送信する手段と、
前記第２のチャネル上で第２の信号を送信する手段とを具備し、
前記第１の信号は二次パイロットであり、前記第２のチャネルはトラフィック通信のための動作チャネルであり、前記第２の信号は前記動作チャネル上で送信される一次パイロットである装置。
【請求項３０】
前記第１のチャネルについての情報を取得する手段は、
複数のチャネル上のエネルギーを決定する手段と、
最低のエネルギーチャネルのセットを選択する手段と、
前記最低のエネルギーチャネルのセットから前記第１のチャネルを選択する手段とを備える請求項２９記載の装置。
【請求項３１】
前記第１のチャネルについての情報を取得する手段は、
チャネルのセットを受信する手段と、
前記チャネルのセットから前記第１のチャネルを選択する手段とを備える請求項２９記載の装置。
【請求項３２】
前記第１のチャネルは、隣接しているワイヤレスデバイスとの協働に基づいて、前記第１の信号を送信するために選択される請求項２９記載の装置。
【請求項３３】
前記協働は、前記隣接しているワイヤレスデバイスのうちの少なくとも１つと同じチャネルである前記第１のチャネルを選択することを含む請求項３２記載の装置。
【請求項３４】
ワイヤレス通信の装置において、
チャネルのセットを第１のワイヤレスデバイスに通信する手段と、
前記チャネルのセットを第２のワイヤレスデバイスに通信する手段と、
前記チャネルのセット中のチャネル上で、前記第１のワイヤレスデバイスから送信された二次パイロット信号をサーチするように前記第２のワイヤレスデバイスに要求する手段とを具備し、
前記二次パイロット信号は、一次パイロット信号についての情報を含む装置。
【請求項３５】
前記チャネルのセットはホワイトスペースチャネルを含み、前記第１のワイヤレスデバイスは基地局であり、前記第２のワイヤレスデバイスは移動局である請求項３４記載の装置。
【請求項３６】
複数のチャネル上での干渉を測定するように少なくとも１つのワイヤレスデバイスに要求する手段と、
前記チャネル上での干渉に関連する干渉情報を、前記少なくとも１つのワイヤレスデバイスから受信する手段と、
前記干渉情報に基づいて、前記チャネルをランク付けする手段と、
前記チャネル間で最低の干渉を有する前記チャネルのセットを選択する手段とをさらに具備する請求項３４記載の装置。
【請求項３７】
前記二次パイロット信号を送信するために使用される二次パイロットチャネルを提供するように少なくとも１つのワイヤレスデバイスのそれぞれに要求する手段と、
前記少なくとも１つのワイヤレスデバイスのそれぞれの前記二次パイロットチャネルを含めるように前記チャネルのセットを選択する手段とをさらに具備する請求項３４記載の装置。
【請求項３８】
前記二次パイロット信号の信号品質を測定するように前記第２のワイヤレスデバイスに要求する手段をさらに具備する請求項３４記載の装置。
【請求項３９】
トラフィック通信のための動作チャネル上で前記第１のワイヤレスデバイスから送信された前記一次パイロット信号の信号品質に関する情報を前記第２のワイヤレスデバイスから受信する手段と、
前記一次パイロット信号の信号品質に関する前記受信した情報に基づいて、前記第２のワイヤレスデバイスから前記第１のワイヤレスデバイスにハンドオフするか否かを決定する手段とをさらに具備する請求項３４記載の装置。
【請求項４０】
前記動作チャネルは、前記チャネルのセット中に存在していない請求項３９記載の装置。
【請求項４１】
コンピュータ読み取り可能記憶媒体において、
第１のチャネル上で第１の信号を受信し、
前記第１の信号に基づいて第２のチャネルを決定し、
前記第２のチャネル上で第２の信号を受信し、
前記第２の信号の品質に基づいて、前記第２のチャネル上でワイヤレスデバイスと通信するためのコードを含み、
前記第１の信号は、前記ワイヤレスデバイスの発見のために、前記第１のチャネル上で前記ワイヤレスデバイスから受信される二次パイロットであり、前記第２の信号は、前記第２のチャネル上で前記ワイヤレスデバイスから受信される一次パイロットであり、前記第２のチャネルは、前記ワイヤレスデバイスとのトラフィック通信のための動作チャネルであるコンピュータ読み取り可能記憶媒体。
【請求項４２】
コンピュータ読み取り可能記憶媒体において、
第１のチャネルについての情報を取得し、
前記第１のチャネルとは異なる第２のチャネルについての情報を含む第１の信号を前記第１のチャネル上で送信し、
前記第２のチャネル上で第２の信号を送信するためのコードを含み、
前記第１の信号は二次パイロットであり、前記第２のチャネルはトラフィック通信のための動作チャネルであり、前記第２の信号は前記動作チャネル上で送信される一次パイロットであるコンピュータ読み取り可能記憶媒体。
【請求項４３】
コンピュータ読み取り可能記憶媒体において、
チャネルのセットを第１のワイヤレスデバイスに通信し、
前記チャネルのセットを第２のワイヤレスデバイスに通信し、
前記チャネルのセット中のチャネル上で前記第１のワイヤレスデバイスから送信された二次パイロット信号をサーチするように前記第２のワイヤレスデバイスに要求するためのコードを含み、
前記二次パイロット信号は、一次パイロット信号についての情報を含むコンピュータ読み取り可能記憶媒体。
【請求項４４】
ワイヤレス通信のための装置において、
第１のチャネル上で第１の信号を受信し、
前記第１の信号に基づいて第２のチャネルを決定し、
前記第２のチャネル上で第２の信号を受信し、
前記第２の信号の品質に基づいて、前記第２のチャネル上でワイヤレスデバイスと通信するように構成されている処理システムを具備し、
前記第１の信号は、前記ワイヤレスデバイスの発見のために、前記第１のチャネル上で前記ワイヤレスデバイスから受信される二次パイロットであり、前記第２の信号は、前記第２のチャネル上で前記ワイヤレスデバイスから受信される一次パイロットであり、前記第２のチャネルは、前記ワイヤレスデバイスとのトラフィック通信のための動作チャネルである装置。
【請求項４５】
ワイヤレス通信のための装置において、
第１のチャネルについての情報を取得し、
前記第１のチャネルとは異なる第２のチャネルについての情報を含む第１の信号を前記第１のチャネル上で送信し、
前記第２のチャネル上で第２の信号を送信するように構成されている処理システムを具備し、
前記第１の信号は二次パイロットであり、前記第２のチャネルはトラフィック通信のための動作チャネルであり、前記第２の信号は前記動作チャネル上で送信される一次パイロットである装置。
【請求項４６】
ワイヤレス通信のための装置において、
チャネルのセットを第１のワイヤレスデバイスに通信し、
前記チャネルのセットを第２のワイヤレスデバイスに通信し、
前記チャネルのセット中のチャネル上で前記第１のワイヤレスデバイスから送信された二次パイロット信号をサーチするように前記第２のワイヤレスデバイスに要求するように構成されている処理システムを具備し、
前記二次パイロット信号は、一次パイロット信号についての情報を含む装置。
【国際調査報告】
2013529047.tif 000017
2013529047.tif 000018
2013529047.tif 000019